(57)【特許請求の範囲】
【請求項１】
ストップウォッチ機能を有する電子時計おいて、
所定の信号を入力するための入力手段と、
前記入力手段から信号が入力されたタイミングで発音信号を生成して出力する発音制御手段と、
前記発音信号に応じて発音する発音手段と、
駆動パルスを出力する駆動制御手段と、
前記駆動パルスに応じ回動してアナログ時計の針を歩進させるステッピングモータとを具備し、
前記駆動制御手段は、ストップウォッチモード以外のモードでは前記駆動パルスとして第１のパルスを所定の時間間隔で出力し、前記第１のパルスによって前記ステッピングモータが回動しなかった場合には前記第１のパルスよりも時間間隔が長い第２のパルスを前記駆動パルスとして出力し、ストップウォッチモードの状態では前記第１のパルス出力開始時点から前記第２のパルスの出力終了時点までの時間間隔よりも短い固定パターンパルスを前記駆動パルスとして所定の時間間隔で出力し、
前記ストップウォッチモードにおいて、前記発音制御手段は、前記固定パターンパルスと前記発音信号とが時間的に重なる場合には、前記固定パターンパルスを優先的に出力させ、前記固定パターンパルスに近接した時間位置で前記発音信号の一部を出力することを特徴とする電子時計。
【請求項２】
前記発音制御手段は、前記駆動パルスと前記発音信号とが時間的に重なる場合には、重なる時間内において前記駆動パルスを優先的に出力させるとともに、重なる前の時点で前記発音信号の生成および出力を一時停止し、前記駆動パルスの出力が終了した後に前記発音信号の生成および出力を再開することを特徴とする請求項１記載の電子時計。
【請求項３】
前記発音制御手段は、前記駆動パルスと前記発音信号とが時間的に重なる場合には、重なる時間内において前記駆動パルスを優先的に出力させるとともに、重なる前の時点で前記発音信号の出力を禁止し、前記駆動パルスの出力が終了した後に前記禁止を解除することを特徴とする請求項１記載の電子時計。
【請求項４】
前記アナログ時計の針が確実に歩進するような固定パターンパルスはくし歯パルスであることを特徴とする請求項１ないし３いずれかに記載の電子時計。
【請求項５】
前記アナログ時計の針が確実に歩進するような固定パターンパルスは矩形波パルスであることを特徴とする請求項１ないし３いずれかに記載の電子時計。
【発明の詳細な説明】
【０００１】
【発明の属する技術分野】
本発明は、アナログ時計機能およびストップウォッチ機能を有する電子時計に関する。
【０００２】
【従来の技術】
従来より、アナログ時計にストップウォッチ機能を付加した電子時計が開発・市販されている。この種の時計としては、アナログ時計とディジタル式のストップウォッチを組み合わせたいわゆるコンビネーション型のものや、アナログ時計とアナログ式のストップウォッチとを組み合わせたものが知られており、いずれの場合においても、使用者は、所定のボタン操作により計測のスタート／ストップ等を指示し、計測結果を得ることができる。
【０００３】
【発明が解決しようとする課題】
ところで、アナログ時計では、通常、ステッピングモータ（パルスモータ）に駆動パルスを入力し、動力伝達機構を介して秒針、分針、および時針を駆動している。ステッピングモータに入力される駆動パルスは、秒針が１秒間に１回だけ歩進するよう設定されており、時刻の信頼性の低下は時計にとって致命的であることから、ステッピングモータをパルス制御する回路は、他の信号処理に優先して駆動パルスの出力を行うように構成されている。
【０００４】
ステッピングモータの駆動パルスとしては、省電力化の観点から、負荷に応じてパルス幅が変動するようなものが提案されている（特開昭５３−４５５７５号公報参照）。また、他の省電力化技術としては、駆動パルスをくし歯状のパルス列とし、これらのパルスを短い時間間隔でステッピングモータに入力してステッピングモータを１ステップだけ回動し、１パルスで回動させる場合に比較して消費電力を低減する技術も知られている。
【０００５】
しかしながら、そのような駆動パルスを使用した場合、負荷が想定よりも大きい場合にステッピングモータが十分に回動しない場合がある。したがって、ステッピングモータを駆動するための第１のパルスを入力する前後に、外部磁界や、モータの回動に伴って発生する磁界または電流の変化等を検出し、第１のパルスではステッピングモータを回動させることができないと判断された場合や、実際に第１のパルスによって回動しなかったことが認識された場合には、確実にモータを回動させることができるエネルギーを有する第２のパルスを再入力する処理が必要になる。
【０００６】
前述したように、時刻の信頼性の低下は時計にとって致命的であることから、第１のパルス入力開始時点あるいは外部磁界の検出開始時点から、ステッピングモータの回動の有無の検出が終了し、必要に応じて第２のパルスを入力し、消磁のためのパルスの入力が終了する時点までの期間において、他の信号処理に優先して駆動パルスの出力を行う必要がある。以後、このような期間を「禁止期間」という。「禁止期間」は、実際の仕様によって異なるが、通常、１００ｍｓ程度の期間となる。すなわち、１秒間に１００ｍｓ程度の期間は、モータ駆動パルスの出力に影響を与えるような他の信号処理は禁止される。
【０００７】
ところで、アナログ時計として機能しない電子時計（ディジタル時計としてのみ機能する電子時計）では、ストップウォッチの操作性を向上させるために、スタート／ストップ時などに確認音を発するものが開発・市販されている。確認音を発することにより、正しく操作が行われていることを使用者に伝えることができるので、操作者は安心して計測を続行することができる。こうしたことから、アナログ時計にストップウォッチ機能を付加した電子時計においても、計測のスタート／ストップ時などに確認音を発することが望ましい。
【０００８】
しかしながら、従来、アナログ時計においてストップウォッチ計測のスタート／ストップに同期した確認音を遅延無く、かつ使用者に違和感を与えることなく発することができる電子時計は存在しなかった。これは、アナログ時計には、ディジタル時計には存在しない「禁止期間」があり、しかもその長さが１００ｍｓ程度もあることに起因している。一般に、人間は、ストップウォッチを使用して、最短で１００ｍｓ程度の時間を計測することができる。したがって、「禁止期間」内に計測がスタートされ、「禁止期間」直後に計測がストップされるという事態も考えられる。
【０００９】
このような場合に、例えば、「禁止期間」内に確認音の発音が要求された場合には「禁止期間」終了直後に確認音を発音するような仕様にすると、スタートに対応する確認音とストップに対応する確認音がほとんど重なってしまう虞がある。そもそも、仮に、計測時間が十分に長かったとしても、１００ｍｓ程度のズレは人間が感知可能な範囲であり、使用者に違和感を抱かせてしまう。さらに、この違和感が計測結果、ひいては電子時計に対する使用者の不信感・不安感を招くことは想像に難くない。
【００１０】
また、例えば、「禁止期間」内の確認音の発音の要求を無視するような仕様にした場合には、同一の操作を行ったにも関わらず、確認音が発音されるときと発音されないときがあり、使用者は、ストップウォッチが正常に作動しているのだろうか、という不信感を抱いてしまう。
【００１１】
結局、アナログ時計に単にストップウォッチ機能を組み込んでも正確なタイミングで確認音を発することはできない。このため、アナログ時計としての機能を有し、アナログ時計の秒針の歩進と非同期で要求される確認音をスイッチ操作に同期して遅延なく発するような電子時計は存在しなかった。このことは、コンビネーション型のみならず、アナログ時計とアナログ式のストップウォッチとを組み合わせたものについても同様である。
【００１２】
本発明は上述した事情に鑑みて為されたものであり、アナログ時計の運針を妨げることなく、かつステッピングモータの駆動パルス出力による「禁止期間」の影響を受けることなく、任意のタイミングで違和感なく発音することができる電子時計を提供することを目的としている。
【００１３】
【課題を解決するための手段】
上述した課題を解決するために、請求項１記載の電子時計は、ストップウォッチ機能を有する電子時計おいて、所定の信号を入力するための入力手段と、前記入力手段から信号が入力されたタイミングで発音信号を生成して出力する発音制御手段と、前記発音信号に応じて発音する発音手段と、駆動パルスを出力する駆動制御手段と、前記駆動パルスに応じ回動してアナログ時計の針を歩進させるステッピングモータとを具備し、前記駆動制御手段は、ストップウォッチモード以外のモードでは前記駆動パルスとして第１のパルスを所定の時間間隔で出力し、前記第１のパルスによって前記ステッピングモータが回動しなかった場合には前記第１のパルスよりも時間間隔が長い第２のパルスを前記駆動パルスとして出力し、ストップウォッチモードの状態では前記第１のパルス出力開始時点から前記第２のパルスの出力終了時点までの時間間隔よりも短い固定パターンパルスを前記駆動パルスとして所定の時間間隔で出力し、前記ストップウォッチモードにおいて、前記発音制御手段は、前記固定パターンパルスと前記発音信号とが時間的に重なる場合には、前記固定パターンパルスを優先的に出力させ、前記固定パターンパルスに近接した時間位置で前記発音信号の一部を出力することを特徴とする。
【００１４】
請求項２記載の電子時計は、請求項１記載のものにおいて、前記発音制御手段は、前記駆動パルスと前記発音信号とが時間的に重なる場合には、重なる時間内において前記駆動パルスを優先的に出力させるとともに、重なる前の時点で前記発音信号の生成および出力を一時停止し、前記駆動パルスの出力が終了した後に前記発音信号の生成および出力を再開することを特徴としている。
【００１５】
請求項３記載の電子時計は、請求項１記載のものにおいて、前記発音制御手段は、前記駆動パルスと前記発音信号とが時間的に重なる場合には、重なる時間内において前記駆動パルスを優先的に出力させるとともに、重なる前の時点で前記発音信号の出力を禁止し、前記駆動パルスの出力が終了した後に前記禁止を解除することを特徴としている。
【００１８】
請求項４または５記載の電子時計は、請求項１ないし３いずれかに記載のものにおいて、前記アナログ時計の針が確実に歩進するような固定パターンパルスはくし歯パルスまたは矩形波パルスであることを特徴としている。
【００１９】
【発明の実施の形態】
以下、図面を参照して本発明の実施形態について説明する。
【００２０】
Ａ：実施形態の構成
図２は本発明の一実施形態による電子時計の外観を示す図であり、この図に示す電子時計はアナログ時計とディジタル時計とを組み合わせたいわゆるコンビネーション型の腕時計の形態をとっている。
【００２１】
図２に示す電子時計において、１は円盤状の文字盤を備えた腕時計本体であり、図中上方が１２時方向となっている。２は本体１の３時方向に突出して設けられたリューズ、Ａ，Ｃ，Ｄは本体１の８時，２時，４時方向に突出して設けられた操作ボタン、３〜５は本体１の中心に一端が取り付けられた分針，時針，秒針、６は本体１の文字盤表面の外周付近に当該外周を１２当分するよう設けられた部材である。上記分針３，時針４，秒針５は、アナログ時計のムーブメントの要素であり、本体１内部のステッピングモータ（図示略）から公知の動力伝達機構を介して伝達される動力によって歩進する。
【００２２】
また、本体１には、図中手前側に透明な表示パネルが設けられている。この表示パネルは、例えば高分子分散型液晶（ＰＤＬＣ：Ｐｏｌｙｍｅｒ  Ｄｉｓｐｅｒｓｅｄ  Ｌｉｑｕｉｄ  Ｃｒｙｓｔａｌ  ）パネルであり、何も表示しない状態においてはほとんど透明となるので、使用者は表示パネルの背後の文字盤や分針３，時針４，秒針５等を視認することができる。また、表示パネルに数字や文字が表示されている場合にも、実駆動セグメント以外はほとんど透明となるので、使用者は、分針３，時針４，秒針５等の位置を特定し、これらから時刻を読みとることができる。
【００２３】
なお、図示を略すが、本体１にはアンプおよびスピーカが内蔵されており、確認音や時報等を発音可能である。
【００２４】
このような構成の電子時計の各部は、本体１内部に設けられたマイクロコンピュータ（各種制御手段を含む）により制御される。ここで、電子時計の要部の回路構成を図３に示す。
【００２５】
図３において、１１は各部を制御するコアＣＰＵ（中央処理装置）、１２はコアＣＰＵ１１（以後、単に「ＣＰＵ１１」と記す）の動作プログラムを記憶したＲＯＭ（Ｒｅａｄ  Ｏｎｌｙ  Ｍｅｍｏｒｙ）、１３はＣＰＵ１１に読み書きされるＲＡＭ（Ｒａｎｄｏｍ  Ａｃｃｅｓｓ  Ｍｅｍｏｒｙ）、１４は計時のための基準パルスを出力する発振回路であり、ＣＰＵ１１は発振回路１４から出力される基準パルスに同期して作動する。
【００２６】
また、１５は入力制御回路であり、各種操作ボタンＡ，Ｃ，Ｄやリューズ２等からなる入力手段１６の操作内容をＣＰＵ１１へ入力する。１７は分針３、時針４、秒針５やステッピングモータ等を含む表示指針、１８は表示指針１７のステッピングモータへ駆動パルスを供給するモータドライバ、１９はモータ制御回路であり、ＣＰＵ１１からの指示に従ってモータドライバ１８を制御する。
【００２７】
２０は液晶パネル（ＬＣＤ）等の表示パネル、２１は表示パネル２０へ駆動信号を供給するＬＣＤドライバ、２２はＣＰＵ１１からの指示に応じた信号をＬＣＤドライバへ供給する表示制御回路である。また、２３はアンプやスピーカ等からなる発音手段、２４はＣＰＵ１１からの指示に応じた発音信号を生成し発音手段２３へ出力する発音制御回路である。
【００２８】
上述した電子時計は、時刻や日付を表示する通常のモード以外に、アラームの設定や修正などを行うアラームモードや、１／１００秒（１０ｍｓ）単位の計測を行うストップウォッチモード等の様々なモードを備えており、ボタンＡ，Ｃ，Ｄの操作に応じてモード間の遷移を行う。モードの種類やモード間の遷移方法などは任意であるが、少なくともストップウォッチモードを備えている必要がある。
【００２９】
Ｂ：ストップウォッチモード以外のモードの動作
ストップウォッチモード以外のモードにおいて、モータドライバ１８から表示指針１７のステッピングモータへは、図１（Ａ）に示されるように、従来と同様な駆動パルス（以後、「通常運針パルス」という）が供給される。通常運針パルスにおいて、ステッピングモータを直接的に駆動するパルス列Ｐ１は、省電力化を考慮して、くし歯状のパルス列になっている。パルス列Ｐ１は、例えばデューティー比が５０％のパルスであり、パルス列Ｐ１全体の時間幅ｔ１は２ｍｓ程度である。ＣＰＵ１１は、このパルス列Ｐ１によってステッピングモータが１ステップだけ回動したか否かをパルス列Ｐ１に続く信号の電流変動を検出して判断し、回動しなかった場合にはパルス列Ｐ１より全体の時間幅が長い、あるいは個々のデューティー比の大きなパルス列Ｐ２（図示略）が供給される。このため、通常運針パルスにおいて、「禁止期間」ｔ２は従来と同様に１００ｍｓ程度となっている。
【００３０】
ところで、本電子時計においては、アラームモードにおいてアラームを設定すると、設定した時刻にアラーム音が発せられる。通常、アラームにおいては、秒から分への桁上がりに同期してアラーム音の発音が開始されるが、この開始タイミングが１００ｍｓ程度ズレても全く問題にならない。さらに、ＣＰＵ１１は、アラーム音の発音時刻を事前に知ることができるので、「禁止期間」にかからないように発音制御回路２４への発音信号の出力時刻をずらして同期をとることができる。このことは、時報についても同様である。
【００３１】
Ｃ：ストップウォッチモードにおける動作
これに対して、ストップウォッチモードにおいては、ＣＰＵ１１が事前に確認音の発音タイミングを知ることはできない。したがって、本実施形態では、以下に示すような処理を行っている。
【００３２】
ストップウォッチモードでは、モータドライバ１８から表示指針１７のステッピングモータへは、図１（Ｂ）に示されるように、１Ｈｚの駆動パルスが供給される。この駆動パルスは固定パターンのパルスを１秒周期で連続させたものであるので、以後、「固定パターン駆動パルス」と称す。固定パターン駆動パルスは、通常運針パルス中のパルス列Ｐ１の１番目のパルスと同一タイミングで立ち上がり、ｔ３経過後に立ち下がるパルスであり、ｔ３は１つのパルスでステッピングモータを１ステップだけ回動させるに十分な電力を供給するために設定された時間（例えば約４ｍｓ）である。すなわち、パルス幅がｔ３の固定パターンパルスＰは、前述したパルス列Ｐ２と同様な意味を持つパルスであり、当該固定パターンパルスＰが供給されたステッピングモータは必ず１ステップだけ回動する。
【００３３】
ここで、ボタンＡ，Ｃ，Ｄのいずれかが適宜操作され、図１（Ｃ）に示されるタイミングで計測がスタート／ストップされた場合にモータドライバ１８から表示指針１７のステッピングモータへ供給される固定パターン駆動パルス、および発音制御回路２４から発音手段２３へ供給される発音信号を図１（Ｄ）に示す。これらの図に示すように、発音信号中のパルスは、固定パターンパルスＰのパルス幅ｔ３（例えば約４ｍｓ）に比較して遥かに広いパルス幅（例えば、α１＋β１＝α２＋β２＝３２ｍｓ）となり、確認音は当該パルス幅だけ継続して発せられる。なお、図１（Ａ）中のパルスと図１（Ｄ）中のパルスは同一電圧である。したがって、ストップウォッチモード時の駆動系の消費電力は、次式から明らかなように、パルス列Ｐ１（デューティー比５０％）を用いた通常運針時の約４倍になる。
【００３４】
パルス幅比（約４ｍｓ／約２ｍｓ）×  パルスデューティー比（１００％／５０％）＝  約４倍
図１（Ｄ）に示されるように、例えば、確認音の発音中に固定パターンパルスＰを発生するタイミングになると、発音信号の生成および出力がｔ３だけ停止され、その間に固定パターンパルスＰが出力される。その後、発音信号の未出力部が生成および出力される。したがって、発音信号がｔ３（例えば約４ｍｓ）だけ途切れることになるが、発音手段２３から発音される確認音の途切れは、人間が感知できない程度のものである。
【００３５】
なお、固定パターンパルスＰの出力後に出力される発音信号の残出力期間（β１，β２の区間）の長さは、全ての未出力期間の長さとしてもよいし、全ての未出力期間から固定パターンパルスＰの出力のために中断された時間ｔ３を差し引いた長さとしてもよい。例えば、発音信号のパルス幅を３２ｍｓ、ｔ３を４ｍｓとし、発音信号のパルスを１０ｍｓだけ出力した時点で固定パターンパルスＰの出力を開始した場合、固定パターンパルスＰの出力完了後に出力する発音信号のパルスの長さを２２ｍｓとしてもよいし、２２ｍｓから４ｍｓを差し引いた１８ｍｓとしてもよい。このことは、固定パターンパルスＰの出力中に発音信号の出力が要求された場合にも同様にあてはまる。
【００３６】
なお、残出力期間の長さを、全ての未出力期間から固定パターンパルスＰの出力のために中断された時間ｔ３を差し引いた長さとする場合には、ｔ３の期間において禁止されるのは発音信号の出力のみであり、発音信号の生成自体は継続して行われる。したがって、ｔ３経過後に発音信号の出力禁止が解除されると、生成されたものの出力されなかった発音信号を無視して、これに後続する発音信号の生成および出力が開始される。
【００３７】
Ｄ：まとめ
以上説明したように、本発明の一実施形態によれば、運針を最優先としながらも、計測のスタート／ストップ時の確認音を正確なタイミングで発することができるので、使用者に違和感や不信感を与えることがない。
【００３８】
また、ストップウォッチモード以外のモードにおいては、省電力化を考慮した通常運針パルスを使用しているので、駆動系の消費電力の増大を抑制することができる。
【００３９】
なお、上述した実施形態では、固定パターンパルスとして単独の矩形波パルスを例示したが、これに限らず、くし歯状のパルス列を使用してもよい。くし歯状のパルス列を用ると、上記単独の矩形波パルスを用いるよりも、ステッピングモータを回動させるのに要するトータルエネルギーを削減することができる。したがって、ストップウォッチモードにおける駆動系の消費電力を、パルス列Ｐ１（デューティー比５０％）を用いた通常運針時の約４倍未満に抑制することが可能となる。また、ストップウォッチモードにおいて、スタート／ストップのみならず、ラップタイム（あるいはスプリットタイム）計測時等にも確認音を発するようにしてもよい。
【００４０】
また、発音信号の生成・出力の停止（禁止）や再開（解除）処理は、ハードウェア的に実現してもよいし、ソフトウェア的に実現してもよい。ソフトウェア的に実現する場合には、実際に停止（禁止）や再開（解除）処理を行ってもよいが、これらの処理に等価な処理を行うようにしてもよい。例えば、固定パターン駆動パルスの各種タイミングに基づいて、発音信号の出力開始タイミングと出力継続時間とを求め、求めた出力開始タイミングおよび出力継続時間にしたがって発音信号を生成する指示を出すようにし、指示にしたがって発音信号を生成し即座に出力する回路を設ければ、当該回路の出力信号が固定パターンパルスに重なることはない。
【００４１】
さらに、ディジタル部はストップウォッチモードしか備えていなくても良く、この場合、モードを遷移することなく計測処理を行うことができる。ただし、ステッピングモータの駆動パルスは、常に、固定パターン駆動パルスである必要がある。
【００４２】
また、上述した実施形態では、アナログ時計とディジタル式のストップウォッチを組み合わせたいわゆるコンビネーション型の電子時計を例示したが、以下の変形例に示すように、アナログ時計とアナログ式のストップウォッチとを組み合わせたものに適用してもよい。
【００４３】
Ｅ：変形例
図４は本変形例の外観を示す図であり、この図において、図２と共通する部分には同一の符号を付し、その説明を省略する。この図に示されるように、本変形例では、アナログ式のストップウォッチ部７を備えている。このストップウォッチ部の構造、およびアナログ時計との関係等は公知であるので、説明を省略する。なお、このストップウォッチ部７は、ボタンＡの操作により、スタート、ストップ、およびリセットを行うものとする。
【００４４】
本変形例の構成が前述の実施形態と異なる点は、ディジタル時計に関する各部が存在しない点と、ストップウォッチ部７に関するものが存在する点のみである。また、ストップウォッチモード以外のモードは存在しないので、アナログ時計のステッピングモータへ入力する駆動パルスは、図１（Ｂ）と同様のパルスになる。もちろん、駆動パルスと発音信号とが重なった場合の処理も実施形態と同様であり、よって、アナログ時計の運針を最優先としながらも、計測のスタート／ストップ／リセット時の確認音を正確なタイミングで発することができる。
なお、新たなボタンを設ければ、当該ボタンを操作した場合にはストップウォッチモード以外のモードに遷移するようにし、ストップウォッチモード以外のモードにおいては、省電力化を考慮した、例えば図１（Ａ）に示すような通常運針パルスを使用するように構成することもできる。
【００４５】
また、言うまでもないが、前述の実施形態および上述の変形例においては、腕時計の形態とする例を挙げたが、これに限らず、壁掛け時計や置き時計など、様々な形態をとり得る。
【００４６】
【発明の効果】
以上説明したように、本発明によれば、アナログ時計の針が確実に歩進するような固定パターンパルスを所定の時間間隔で出力して駆動パルスとするので、ステッピングモータが所定のステップだけ回動したか否かを検出・判断する必要が無く、いわゆる「禁止期間」が短くなる。したがって、発音信号が固定パターンパルスと重なるようなタイミングで生成され、固定パターンパルスを優先するために発音信号の出力が一時中断されても、この中断期間を短く抑制することが可能なので、音の途切れを人間が感知することは困難となり、両者が重ならないように発音タイミングをずらしたり、最初から発音信号の生成自体をやめたり、といった処理が不用になる。すなわち、アナログ時計の運針を妨げることなく任意のタイミングで発音することができる。
【００４７】
加えて、電子時計が予め設定された状態にある場合には、発音制御手段が作動状態を検出することなく、固定パターンパルスを所定の時間間隔で出力して駆動パルスとするので、構成を簡素化することができる。特にストップウォッチモードにおいて固定パターンパルスを所定の時間間隔で出力して駆動パルスとしたことにより、ストップウォッチ計測のスタート／ストップに同期した確認音を遅延無く、かつ使用者に違和感を与えることなく発することができる。また、駆動パルスをくし歯パルスしたことにより、駆動系の消費電力を低減することができる。
【図面の簡単な説明】
【図１】本発明の一実施形態による電子時計で使用されるパルスの電圧波形を示す図であり、（Ａ）は通常運針パルス、（Ｂ）は固定パターンパルス、（Ｃ）は警告音要求信号、（Ｄ）は固定パターンパルスと発音信号とが重なった場合の波形を示している。
【図２】同電子時計の外観を示す図である。
【図３】同電子時計の要部の回路構成を示すブロック図である。
【図４】同電子時計の変形例の外観を示す図である。
【符号の説明】
３…分針、４…時針、５…秒針、７…ストップウォッチ部、１１…コアＣＰＵ、１２…ＲＯＭ、１３…ＲＡＭ、１４…発振回路、１５…入力制御回路、１６…入力手段、１７…表示指針、１８…モータドライバ、１９…モータ制御回路、２０…表示パネル、２１…ＬＣＤドライバ、２２…表示制御回路、２３…発音手段、２４…発音制御回路、Ａ，Ｃ，Ｄ…操作ボタン。
【図１】
0003627404.tif 000002
【図２】
0003627404.tif 000003
【図３】
0003627404.tif 000004
【図４】
0003627404.tif 000005